(57)【要約】【課題】ダウンジャケットの表地の内面に羽毛の飛出しが防がれるウレタンコーティング層が形成されることから、合成樹脂材だけでなく、羽毛が飛び出すことがある様々な織物地が使用可能であり、しかも、裏地の内面にはテープ部材が設けられ、且つ、表地の内面にはウレタンコーティング層が形成されていることから、テープ部材とウレタンコーティング層との接続部分を加熱接着して隔室を形成して加工工程を手軽に行うことのできる表地が自由に選択可能なダウンジャケットを提供する。【解決手段】本発明は、裏地および表地の二重生地からなり、前記裏地および表地間の画成によって形成される多数の隔室の内部に羽毛が充填される通常のダウンジャケットにおいて、前記裏地の内面にはテープ部材が設けられ、前記表地の内部面にはウレタンコーティング層が形成されることを特徴とする。【選択図】図１
2016504504.tif 000002
【特許請求の範囲】
【請求項１】
裏地および表地の二重生地からなり、前記裏地および表地間の画成によって形成される多数の隔室の内部に羽毛が充填される通常のダウンジャケットにおいて、
前記裏地の内面にはテープ部材が設けられ、前記表地の内部面にはウレタンコーティング層が形成されることを特徴とする表地が自由に選択可能なダウンジャケット。
【請求項２】
前記裏地は、隔室の内部に充填された羽毛の飛出しが防がれる合成樹脂材からなり、前記表地は、内部に充填された羽毛の飛出し有無とは無関係に従来の技術による様々な織物素材のうちから選択されたいずれか一種であることを特徴とする請求項１に記載の表地が自由に選択可能なダウンジャケット。
【請求項３】
前記裏地および表地は、内面にはそれぞれ前記テープ部材およびウレタンコーティング層が形成されることにより、前記テープ部材による接着および前記ウレタンコーティング層を用いた加熱接着方式によって隔室が形成されることを特徴とする請求項２に記載の表地が自由に選択可能なダウンジャケット。
【発明の詳細な説明】
【技術分野】
【０００１】
本発明は、表地が自由に選択可能なダウンジャケットに係り、さらに詳しくは、ダウンジャケットの表地の内面に羽毛の飛出しが防がれるウレタンコーティング層が形成されることから、合成樹脂材だけではなく、羽毛が飛び出すことがある様々な織物地が使用可能であり、しかも、裏地の内面にはテープ部材が設けられ、且つ、表地の内面にはウレタンコーティング層が形成されていることから、テープ部材とウレタンコーティング層との接続部分を加熱接着して隔室を形成して加工工程を手軽に行うことのできる表地が自由に選択可能なダウンジャケットに関する。
【背景技術】
【０００２】
防寒服の一種であるダウンジャケットは、一般に、ダックダウンパーカーと呼ばれており、その裏地と表地との間の内部にアヒルやガチョウの胸の羽毛を注入して他の防寒服に比べて軽くて暖かいため冬場に着用可能な衣類である。
【０００３】
ダウンジャケットが他の冬場の衣類よりも軽くて暖かい理由は、非常に軽いながらも柔らかく、優れた保温性を維持しながらも通気性が良好であるだけではなく、乾燥した冬場にも適正な湿気を保有して静電気が発生しないアヒルの胸の羽毛を使用するためであり、このような特徴を有することから、ダウンジャケットは冬場の高級衣類の一つとして認識されている。
【０００４】
このような従来のダウンジャケットは、胴体の前後部、腕および襟が裏地および表地からなるが、前記裏地および表地をジャケット状に裁断して前後部、腕および襟のそれぞれの裏地および表地の全面が向かい合うように、すなわち、裏地および表地の背面が外部を向くようにして一致させ、その外郭線、すなわち、裏地および表地の縫合線に沿って羽毛の注入口を除く部分を縫い付けた後、これをひっくり返して裏地と表地との間に、すなわち、ダウンジャケットの内部に羽毛を注入して羽毛の注入口を縫合する。
【０００５】
羽毛が注入されて縫合されたダウンジャケットを所定の間隔の横方向に裏地と表地を一致させて縫い付け、縫付による縫付線によって形成された多数のダウン隔室によって全体的に厚い外套状のダウンジャケットが完成される。
【０００６】
ところが、通常のダウンジャケットの裏地および表地としては、注入された羽毛が隔室内から飛び出さないように綿や毛などの織物地よりはゴアテックスなどの合成樹脂材が汎用されているため、消費者にとっては選択の幅が狭く、生産者にとっても様々なデザインでダウンジャケットを製作することが困難であるという問題があった。
【０００７】
また、従来のダウンジャケットは、裏地および表地に隔室を形成するための縫い付け作業を行う際に形成される縫目の針穴を通じて羽毛が飛び出してしまうという問題があった。
【発明の概要】
【発明が解決しようとする課題】
【０００８】
そこで、本発明の目的は、ダウンジャケットの表地の内面に羽毛の飛出しが防がれるウレタンコーティング層が形成されることから、合成樹脂材だけでなく、羽毛が飛び出すことがある様々な織物地が使用可能であり、しかも、裏地の内面にはテープ部材が設けられ、且つ、表地の内面にはウレタンコーティング層が形成されていることから、テープ部材とウレタンコーティング層との接続部分を加熱接着して隔室を形成して加工工程を手軽に行うことのできる表地が自由に選択可能なダウンジャケットを提供することである。
【課題を解決するための手段】
【０００９】
上述した本発明の目的は、裏地および表地の二重生地からなり、前記裏地および表地間の画成によって形成される多数の隔室の内部に羽毛が充填される通常のダウンジャケットにおいて、前記裏地の内面にはテープ部材が設けられ、前記表地の内部面にはウレタンコーティング層が形成されることを特徴とする表地が自由に選択可能なダウンジャケットを提供することによって達成される。
【００１０】
本発明の好適な特徴によれば、前記裏地は、隔室の内部に充填された羽毛の飛出しが防がれる合成樹脂材からなり、前記表地は、内部に充填された羽毛の飛出し有無とは無関係に従来の技術による様々な織物素材のうちから選択されたいずれか一種である。
【００１１】
本発明の好適な特徴によれば、前記裏地および表地は、内面にはそれぞれ前記テープ部材およびウレタンコーティング層が形成されることにより、前記テープ部材による接着および前記ウレタンコーティング層を用いた加熱接着方式によって隔室が形成される。
【発明の効果】
【００１２】
以上述べたように、本発明の好適な実施形態による表地が自由に選択可能なダウンジャケットは、ダウンジャケットの表地の内面に羽毛の飛出しが防がれるウレタンコーティング層が形成されることから、合成樹脂材だけでなく、羽毛が飛び出すことがある様々な織物地が使用可能であり、しかも、裏地の内面にはテープ部材が設けられ、且つ、表地の内面にはウレタンコーティング層が形成されていることから、テープ部材とウレタンコーティング層との接続部分を加熱接着して隔室を形成して加工工程を手軽に行うことができるという卓越したメリットを有する。
【図面の簡単な説明】
【００１３】
【図１】本発明の一実施形態による表地が自由に選択可能なダウンジャケットの断面図である。
【発明を実施するための形態】
【００１４】
図１は、本発明の一実施形態による表地が自由に選択可能なダウンジャケットの断面図である。
【００１５】
本発明の好適な一実施形態による表地が自由に選択可能なダウンジャケットは、裏地および表地の二重生地からなり、前記裏地および表地間の画成によって形成される多数の隔室の内部に羽毛が充填される通常のダウンジャケットにおいて、前記裏地の内面にはテープ部材が設けられ、前記表地の内部面にはウレタンコーティング層が形成されることを特徴とする。
【００１６】
以下、図１に基づき、本発明の好適な一実施形態による表地が自由に選択可能なダウンジャケット１について詳細に説明する。
【００１７】
ここで、 ダウンジャケットの裏地１０の内面にはテープ部材４０が設けられるが、このテープ部材４０は、表地２０のウレタンコーティング層３０に選択的に貼り付けられて充填材５０が独立的に充填可能な隔室を形成する役割を果たす。このために、上述した テープ部材４０は、隔室が形成される個所ごとに等間隔に設けられることが好ましく、従来の技術による衣類の製作に用いられるテープのうちのいずれか一種が用いられるものとする。なお、上述した裏地１０は、表地２０とは違って、羽毛の飛出しが防がれるウレタンコーティング層３０が形成されていないため、ゴアテックスのように羽毛の飛出しが防がれる従来の技術による合成樹脂材が用いられる。
【００１８】
また、上述した表地２０の内面にはウレタンコーティング層３０が形成されており、このウレタンコーティング層３０が表地２０の内面に設けられることによって、充填材５０の羽毛が飛び出してしまうことと、内部に水気が浸透されることを防止すると共に、上述したテープ部材４０と共に加熱接着による隔室の形成を可能にする役割を果たす。
【００１９】
すなわち、充填材５０の飛出しを防ぐと共に防水効果を有するウレタンコーティング層３０が表地２０の内面に形成されることにより、表地２０として、羽毛の飛出しの有無とは無関係に毛や綿などの従来の技術による様々な織物のうちの一つが選択されて用いられる。このため、消費者にとって選択の幅が広くなることはもとより、生産者にとっても様々なデザインにダウンジャケットを製作することが可能になる。
【００２０】
また、上述した裏地１０および表地２０は、内面にはそれぞれ前記テープ部材４０およびウレタンコーティング層が形成されることにより、テープ部材４０がウレタンコーティング層３０側に仮貼着されるようにした後、ウレタンコーティング層３０が溶けながら貼り合わせられる性質を用いた加熱接着方式によって羽毛などの充填材５０が充填可能な隔室を容易に形成することができる。
【００２１】
本発明は、特許請求の範囲において請求する請求の要旨を逸脱することなく当該技術分野における通常の知識を有する者によって様々に変更されて実施可能であるため、本発明の技術の保護範囲は上述した特定の好適な実施形態に何ら限定されない。
【符号の説明】
【００２２】
１  表地が自由に選択可能なダウンジャケット
１０  裏地
２０  表地
３０  ウレタンコーティング層
４０  テープ部材
５０  充填材
【図１】
2016504504.tif 000003
【国際調査報告】
2016504504.tif 000004
2016504504.tif 000005